(57)【要約】【課題】取付が簡単でワークの撓み具合の調整も容易にできる上、取り外しも楽に行えるようにする。【解決手段】びびり防止治具１は、側面視がＬ字状となる金属製で、水平な横板部２には、端部から短手方向に一対の切り込み３，３が形成される一方、垂直な縦板部４には、複数のネジ穴が、長手方向に沿って直線上に並設されて、各ネジ穴に、ネジ穴の長さよりもやや長いネジ６がねじ込まれて、ネジ６をワークＷに当接可能とすると共に、ネジ６におけるワークＷとの当接面には、接着剤８が塗布されている。【選択図】図２
2015093343.tif 000002
【特許請求の範囲】
【請求項１】
ワークが固定される工作機械のベース治具上に、前記ワークへの当接状態で固定されて、前記ワークの加工時のびびり振動を防止するワークのびびり防止治具であって、
回転させることによって前記ワークに対して進退動するネジを設けて、前記ネジを前記ワークに当接可能とすると共に、前記ネジにおける前記ワークとの当接面に、接着剤を付したことを特徴とするワークのびびり防止治具。
【請求項２】
前記ネジは、複数設けることを特徴とする請求項１に記載のワークのびびり防止治具。
【発明の詳細な説明】
【技術分野】
【０００１】
本発明は、工作機械による加工時にワークに発生するびびり振動を防止するために用いられるワークのびびり防止治具に関する。
【背景技術】
【０００２】
工作機械による加工時には、工具からワークに作用する力により、ワークにびびり振動が発生することがある。このびびり振動を防止するために、加工条件を下げるという対策が考えられるが、加工効率の低下に繋がるため、他の方法として例えば特許文献１に開示のようなびびり防止治具が用いられる。ここでは下部に永久磁石を設置した治具本体に、固定ナットを螺合させて上部に永久磁石を設置したボルトを螺合させてなり、これを搬送台とワークとの間に突っ張り棒のように取り付けることで、ワークを押圧して撓みを防止し、びびり振動の発生を防止するようになっている。また、特許文献２には、ワークに当接するサポートピンを上端で支持する揺動レバーを備えた当接ユニットと、揺動レバーの下部を予圧する追従サポートユニットと、予圧された揺動レバーの上部を押圧する固定サポートユニットとからなるワークサポート装置が開示されている。
【先行技術文献】
【特許文献】
【０００３】
【特許文献１】特開２００８−８７１３８号公報
【特許文献２】特開２００４−６６３６２号公報
【発明の概要】
【発明が解決しようとする課題】
【０００４】
これらのびびり防止治具やワークサポート装置においては、押圧によるワークの撓み具合を調整するのが難しく、安定した作業が行えない上、取り外しも面倒となっていた。
【０００５】
そこで、本発明は、取付が簡単でワークの撓み具合の調整も容易にできる上、取り外しも楽に行えるワークのびびり防止治具を提供することを目的としたものである。
【課題を解決するための手段】
【０００６】
上記目的を達成するために、請求項１に記載の発明は、ワークが固定される工作機械のベース治具上に、ワークへの当接状態で固定されて、ワークの加工時のびびり振動を防止するワークのびびり防止治具であって、回転させることによってワークに対して進退動するネジを設けて、ネジをワークに当接可能とすると共に、ネジにおけるワークとの当接面に、接着剤を付したことを特徴とするものである。
なお、「ベース治具」は、ワーク固定のベースとなる治具を指し、テーブル等と別体で形成されてテーブル等に取り付けられるものは勿論、ワークが直接固定されるテーブルやパレット、チャック等も含む。
請求項２に記載の発明は、請求項１の構成において、ネジは、複数設けることを特徴とするものである。
【発明の効果】
【０００７】
請求項１に記載の発明によれば、取付が簡単でワークの撓み具合の調整も容易にでき、安定した作業が可能となる上、加工終了後の取り外しも楽に行える。勿論加工条件を下げる必要もない。
請求項２に記載の発明によれば、請求項１の効果に加えて、ネジを複数設けることで、広範に亘りびびりを防止でき、特にワークとの当接面が平面でなく曲面や屈曲する面であってもワークの形状に合わせた適切な押圧が容易に可能となる。
【図面の簡単な説明】
【０００８】
【図１】びびり防止治具の斜視図である。
【図２】びびり防止治具の使用状態を示す説明図である。
【図３】（Ａ）は図２の平面図、（Ｂ）はワークの薄板部が円弧状の場合のびびり防止治具の変更例、（Ｃ）（Ｄ）はワークの薄板部が屈曲状の場合のびびり防止治具の変更例をそれぞれ示す。
【発明を実施するための形態】
【０００９】
以下、本発明の実施の形態を図面に基づいて説明する。
図１は、ワークのびびり防止治具の一例を示す斜視図で、このびびり防止治具１は、側面視がＬ字状となる金属製で、水平な横板部２には、端部から短手方向に一対の切り込み３，３が形成される一方、垂直な縦板部４には、複数のネジ穴５，５・・が、長手方向に沿って直線上に並設されて、各ネジ穴５に、ネジ穴５の長さよりもやや長いネジ６がねじ込まれている。７は、ネジ６の端面に形成されてドライバ等の先端を係止可能な溝である。
【００１０】
以上の如く構成されたびびり防止治具１は、例えば図２に示すように、ベース治具１０上に固定されるワークＷ上にセットされる。このベース治具１０は、工作機械の図示しないテーブルに設けられるもので、端部に薄板部Ｗ１を有するＬ字状のワークＷは、ボルト１１によってベース治具１０に固定されるが、ここではびびり防止治具１の縦板部４を薄板部Ｗ１に軽く押し当てるようにワークＷ上にセットして、切り込み３，３にボルト１１を貫通させることでびびり防止治具１をワークＷを介してベース治具１０上で固定するようにしている。この状態で薄板部Ｗ１における当接面の凹凸により縦板部４との間に隙間が生じる。
【００１１】
この状態で、図３（Ａ）にも示すように各ネジ６を回転させて薄板部Ｗ１側へ前進させた端部を薄板部Ｗ１に当接させることで、薄板部Ｗ１を所望の撓み具合で押圧することができる。各ネジ６における薄板部Ｗ１側の端面には、接着剤８が塗布されており、この接着剤８によって各ネジ６が薄板部Ｗ１と一体化されて薄板部Ｗ１が固定されるようになっている。
【００１２】
こうしてびびり防止治具１をセットした状態でワークＷの薄板部Ｗ１の外面や上面を工具によって加工しても、薄板部Ｗ１はびびり防止治具１によって固定されているので、びびり振動の発生が効果的に防止される。
一方、加工終了後は、各ネジ６を緩める方向へ回転させれば、接着剤８で固定されていてもネジ６が薄板部Ｗ１から簡単に離れて後退するため、そのままボルト１１を緩めてびびり防止治具１を取り外すことができる。
【００１３】
このように、上記形態のびびり防止治具１によれば、回転させることによってワークＷの薄板部Ｗ１に対して進退動するネジ６を設けて、ネジ６を薄板部Ｗ１に当接可能とすると共に、ネジ６における薄板部Ｗ１との当接面に、接着剤８を付したことで、取付が簡単でワークＷの撓み具合の調整も容易にでき、安定した作業が可能となる上、加工終了後との取り外しも楽に行える。勿論加工条件を下げる必要もない。
特にここでは、ネジ６を複数設けているので、広範に亘りびびりを防止できる。特にワークとの当接面が平面でなく曲面や屈曲する面であってもワークの形状に合わせた適切な押圧が容易に可能となる。
【００１４】
なお、上記形態ではびびり防止治具がワーク上にセットされているが、これに限らず、例えば薄板部の内側を加工する場合等にはびびり防止治具をベース治具上に直接セットすることになる。ベース治具は、テーブル上に設けず、テーブルをベース治具として直接ワークやびびり防止治具を設けてもよいし、チャックをベース治具としてチャックにワークを固定しチャック上にびびり防止治具を設ける等してもよい。
また、ワークの形状もＬ字状に限らず、Ｔ字状や板状等の他の形状であってもびびり防止治具の適用は可能である。
そして、びびり防止治具自体の形状も、ネジ穴及びネジの数を増減したり、頭付きのネジを用いたり、ネジ穴及びネジの配置形態を変えたり（例えば複数列配置や千鳥状配置等）、Ｌ字状以外の他の形態（例えば直角三角形状等）としたり等、ワークの形状に合わせて適宜設計変更可能である。
【００１５】
具体的には、例えば図３（Ｂ）に示すように、薄板部Ｗ１が円弧状であれば、縦板部４をそれに合わせて円弧状とすればよいし、同図（Ｃ）に示すように薄板部Ｗ１が屈曲していれば、縦板部４をそれに合わせて屈曲状とするか、同図（Ｄ）に示すようにネジ６の長さを変えて当接させるかすればよい。勿論これらはワークの形状に合わせて組み合わせることもできる。
【符号の説明】
【００１６】
１・・びびり防止治具、２・・横板部、３・・切り込み、４・・縦板部、５・・ネジ穴、６・・ネジ、８・・接着剤、１０・・ベース治具、１１・・ボルト、Ｗ・・ワーク、Ｗ１・・薄板部。
【図１】
2015093343.tif 000003
【図２】
2015093343.tif 000004
【図３】
2015093343.tif 000005